(57)【要約】      （修正有）【課題】小形軽量で装着が容易であり、装着者の髪を乱したり、鼻パッドの圧迫痕を残したりすることが無く、光軸もぶれにくい医療用機器を提供する。【解決手段】被験者の検査、診療又は手術の際に、装着者の頭部または顔面に装着する頭部または顔面装着形の医療用機器において、照明部１７を取り付ける眼鏡形フレーム１と、この眼鏡形フレーム１に取り付けられ照明部１７の機能を制御する制御部１３及びこの制御部１３に電源を供給するバッテリー１４と、照明部１７のオン・オフを切り替える非接触形のスイッチとを有し、眼鏡形フレーム１は、装着者の側頭部に左右両側から当接することで眼鏡形フレーム１を前記装着者の顔面の所定位置に位置決めする支持パッド１２を備える。【選択図】図１
0003214365.tif 000002
【実用新案登録請求の範囲】
【請求項１】
被験者の検査、診療又は手術の際に、装着者の頭部または顔面に装着する頭部または顔面装着形の医療用機器において、
検査、診療又は手術部位を照明する照明部又は撮影する撮影部を含む機能部を取り付ける眼鏡フレーム形の装着部材と、
この装着部材に取り付けられ前記機能部の機能を制御する制御部及びこの制御部に電源を供給するバッテリーと、
前記機能部のオン・オフを切り替える非接触形のスイッチとを有し、
前記装着部材は、装着者の側頭部に左右両側から当接することで前記装着部材を前記装着者の顔面の所定位置に位置決めする当接部材を備えること、
を特徴とする医療用機器。
【請求項２】
前記当接部材が前記装着者の頬骨弓に当接するものであることを特徴とする請求項１に記載の医療用機器。
【請求項３】
前記制御部が前記装着部材に対して着脱自在であることを特徴とする請求項１又は２に記載の医療用機器。
【請求項４】
前記バッテリーが、前記制御部と別体に形成され、前記制御部及び前記装着部材に対して着脱自在であることを特徴とする請求項１〜３のいずれかに記載の医療用機器。
【請求項５】
前記バッテリーが充電可能であることを特徴とする請求項１〜４のいずれかに記載の医療用機器。
【請求項６】
前記当接部材よりも後方に、前記バッテリー及び前記制御部一方又は両方を配置したことを特徴とする請求項１〜５のいずれかに記載の医療用機器。
【考案の詳細な説明】
【技術分野】
【０００１】
本考案は、被験者の検査、診療又は手術部位を照明したり撮影したりするための機能部を装着するために、装着者の頭部または顔面に装着する医療用機器に関する。
【背景技術】
【０００２】
医師などの装着者の頭部または顔面に、被験者の検査、診療又は手術部位を照明したり撮影したりするための機能部を備えた医療用機器を装着することが一般に行われている。
例えば歯科、耳鼻科、眼科又は口腔外科等の医療分野において検査や診療、手術等の際には、被験者の検査部位や診療部位を照明する医療用機器は必要不可欠である。特に近年では、高輝度のLED（発光ダイオード）を用いた医療用機器が登場し、飛躍的に検査や診療の精度が上がっている。
このような医療用機器を医師などの装着者の頭部に装着するための手段としては種々のものが知られているが、例えば特許文献１の図１、特許文献２の図１２及び図８に開示されているようなものが一般的である。
【０００３】
特許文献１の図１に示す医療用照明器具では、装着者の側頭部の周囲に装着するベルト状の装着部材１に、ＬＥＤ等の発光体を備えたランプボックス３ｍを取りつけている。
特許文献２の図１２に示す医療用機器では、装着者の側頭部の周囲に装着するベルト状の装着部材１０のほかに、頭頂部を跨ぐ別の装着部材１０が設けられていて、側頭部を強く締め付けなくても装着部材１０とともに照明ユニット３がずれ落ちないようにしている。
上記の例はいずれもヘッドマウント形と称されるものであるが、眼鏡形の医療用機器も知られていて、例えば特許文献２の図８に示す医療用機器では、眼鏡フレーム１４のテンプル部分に照明ユニット３が取り付けられている
【先行技術文献】
【特許文献】
【０００４】
【特許文献１】実用新案登録第３０９８０５１号
【特許文献２】実用新案登録第３０２２５１２号
【考案の開示】
【考案が解決しようとする課題】
【０００５】
しかしながら、上記した従来の医療用機器は、以下のような問題がある。
（１）  重いバッテリーユニットや制御ユニットを携帯する必要があるため、長時間の検査や診療の際には装着者の負担が大きくなる。
（２）  医療用機器から外部に延出する長いコードを必要とするため、当該コードが周辺物や被験者の身体などに引っ掛かって装着者の動きが制限されたり、被験者に負担をかけたり、医療用機器がずれたりするなどの不都合がある。
（３）  特許文献１の図１に示す医療用機器のように、ベルト状の装着部材で頭部を締め付けるいわゆるヘッドマウント形のものは、重量の重く長時間の検査や診療において装着者の頭部に大きな負担をかける。
【０００６】
（４）  いわゆるヘッドマウント形のものは装着者の髪が乱れたり、ずれ防止のために鼻パッドを採用したものは、装着者の顔面に鼻パッドによる圧迫痕が残ったりすることから、特に女性医師に不評である。
本考案は、上記した（１）〜（４）の問題点を一挙に解決すべくなされたものである。
【課題を解決するための手段】
【０００７】
上記の課題を解決するために本考案の医療用機器は、被験者の検査、診療又は手術の際に、装着者の頭部または顔面に装着する頭部または顔面装着形の医療用機器において、検査、診療又は手術部位を照明する照明部又は撮影する撮影部を含む機能部を取り付ける眼鏡フレーム形の装着部材と、この装着部材に取り付けられ前記機能部の機能を制御する制御部及びこの制御部に電源を供給するバッテリーと、
前記機能部のオン・オフを切り替える非接触形のスイッチとを有し、前記装着部材は、装着者の側頭部に左右両側から当接することで前記装着部材を前記装着者の顔面の所定位置に位置決めする当接部材を備える構成としてある。
なお、前記当接部材は、前記装着者の側頭部のうち頬骨弓に当接するようにするのが好ましい。
【０００８】
前記制御部は、前記装着部材に対して着脱自在とするのが好ましい。また、前記バッテリーは前記制御部と一体であってもよいが、前記制御部と別体に形成され、前記制御部及び前記装着部材に対して着脱自在であるものとしてもよい。また、前記バッテリーは、リチウム電池のように小形の電池を内蔵したものでよいが、ＵＳＢポート等を利用して簡単に充電できるものであってもよい。
また、当接部材の前後における重量バランスを図るために、前記当接部材よりも後方に、前記バッテリー及び前記制御部一方又は両方を配置するとよい。
【考案の効果】
【０００９】
本考案によれば、小形のバッテリー、特に充電形の小形バッテリーを採用することで、医療用機器を小形かつ軽量にすることができる。また、制御部とバッテリーとを装着部材に取り付けているため、医療用機器から外部へ延出するコードを不要とすることができる。
また、装着部材は眼鏡フレーム形であり、かつ、装着者の側頭部に当接部材を当接させて装着部材を支持させるため、鼻パッドが不要となり、検査や診療の際に装着者の髪が乱れたり、鼻パッドの圧迫痕が残ったりすることも防止できる。
さらに、側頭部（特に頬骨弓）に当接する当接部材を採用することで、前記装着部材の左右のずれを抑制し、発光体やカメラの光軸の偏心を効果的に抑制することができる。
【考案を実施するための最良の形態】
【００１０】
以下、本考案の好適な実施形態を、図面を参照しながら詳細に説明する。
図１及び図２は、機能部として被験者の検査、診療又は手術部位を照明するための照明ユニットを備えた本考案にかかる医療用機器の一実施形態を示すもので、図１は眼鏡形フレームに照明ユニットを取り付ける前の状態を示す斜視図、図２は眼鏡形フレームに照明ユニットを取り付けた後の状態を示す斜視図である。
なお、以下の説明において「前方」と記載するときは、眼鏡形フレーム１のレンズ１６に近づく方向を指し、「後方」と記載するときはレンズ１６から遠ざかる方向を指すものとする。
【００１１】
本考案の医療用機器は、眼鏡形フレームとこの眼鏡形フレームに取り付けられる照明ユニットとから構成される。
眼鏡形フレーム１は、レンズ１６を保持するフロントフレーム１５と、このフロントフレーム１５の左右両端に、智１５ａを介して折り畳み自在に取り付けられたテンプル１１とを有している。
【００１２】
左右のテンプル１１，１１には、テンプル１１，１１の後端側から前方に向けて、装着者の側頭部に向かうように内側に湾曲するアーム１２ａ，１２ａが取り付けられている。そして、このアーム１２ａ，１２ａの各々の先端に、装着者の側頭部、好ましくは装着者の頬骨弓と当接する当接部材としての支持パッド１２，１２が取り付けられている。
アーム１２ａ，１２ａは、ステンレスやβチタンのようにばね性を有する材料で形成するのが好ましく、支持パッド１２，１２は、シリコン樹脂やゴムのように柔軟な材料で形成するのが好ましい。
【００１３】
左右のレンズ１６，１６は、フロントフレーム１５の中央に設けられたブリッジ１５ｂによって連結されていて、後述の照明部１７がこのブリッジ１５ｂに取り付けられるようになっている。
なお、レンズ１６，１６は必ずしも眼鏡形フレーム１に設けられる必要はない。レンズ１６，１６を装着する場合は度無しのものでもよいが、装着者の視力を矯正できる度付きのものであってもよい。また、眼鏡形フレーム１は照明ユニットを取り付けるための専用のものである必要はなく、特開２０１６−８０９９２号や特許第５２４３４５４号に記載されているような公知の鼻パッド無し眼鏡フレームや、同様の形態であれば装着者が日常的に使用している市販の眼鏡フレームを用いることができる。
【００１４】
この眼鏡形フレーム１に着脱自在に取り付けられる照明ユニットは、ＬＥＤ等の発光体１７ａを備えた照明部１７と、この照明部１７のオン・オフ及び輝度調整などを行う制御部１３と、この制御部１３に対して電源を供給するバッテリー１４と、制御部１３と照明部１７と電気的に接続する導線１８とを有する。
照明部１７は、発光体１７ａを支持する支持部１７ｂと、この支持部１７ｂを上下方向に角度調整自在に取り付ける取付部１７ｃと、取付部１７ｃに対する支持部１７ｂの角度を調整する角度調整ハンドル１７ｄと、取付部１７ｃに形成され眼鏡形フレーム１のブリッジ１５ｂを差し込んで係合させる係合溝１７ｅと、ブリッジ１５ｂに対して照明部１７を固定するためのボルト１７ｆとを有する。
【００１５】
制御部１３及びバッテリー１４は、それぞれその背面に爪１３ａ，１４ａを有していて、この爪１３ａ，１４ａをテンプル１１に係合させることで、制御部１３及びバッテリー１４がテンプル１１に着脱自在に取り付けられる。
爪１３ａ，１４ａは、制御部１３及びバッテリー１４がテンプル１１から容易に脱落しないように、また、制御部１３及びバッテリー１４がテンプル１１に沿って容易に移動しないように、一定の弾性を有していてテンプル１１をしっかりと挟持できるものであるものが好ましい。
【００１６】
図３に、制御部１３及びバッテリー１４の内部構成の一例を示す。
制御部１３とバッテリー１４とはコネクタ１３ｂ，１４ｂによって着脱自在に接続される。制御部１３は、コネクタ１３ｂ，１４ｂを介してバッテリー１４に接続される回路基板１３ｃと、この回路基板１３ｃと照明部１７との間に配置され、発光体１７ａのオン・オフ（点灯・消灯）を行うスイッチ１３ｄとを有している。スイッチ１３ｄは非接触形のもので、例えば近接スイッチや光電スイッチ、赤外線スイッチなど市販のものを利用することができ、制御部１３の操作しやすい位置に配置される。
【００１７】
バッテリー１４は交換可能な電池を内蔵するものであってもよいが、ＵＳＢやその他の充電手段を用いて充電可能なものが好ましい。検査又は診療中のバッテリー切れに備えて、一つの照明ユニットに対して複数個のバッテリー１４を準備しておくのが好ましい。
制御部１３と照明部１７とを接続する導線１８は、柔軟性に富み断線しにくいものが好ましく、制御部１３及び照明部１７を眼鏡形フレーム１に取り付けたときに、弛みが生じない程度の適当な長さとするのが好ましい。
【００１８】
上記構成の照明ユニットを眼鏡形フレーム１に取り付けるための手順を説明する。
まず、眼鏡形フレーム１のブリッジ１５ｂに、取付部１７ｃの係合溝１７ｅを嵌装してボルト１７ｆを締め付け、眼鏡形フレーム１のフロントフレーム１５に照明部１７を取り付ける。次いで、制御部１３の爪１３ａをテンプル１１に係合させて、制御部１３をテンプル１１に取り付ける。そして、導線１８をフロントフレーム１５の表面に沿わせて両面テープや接着剤等で固定する。この後、予め充電しておいたバッテリー１４を、テンプル１１の制御部１３より後方に取り付け、前方へ押して移動させつつ、コネクタ１４ｂをコネクタ１３ｂに嵌め込む。
【００１９】
なお、照明部１７をブリッジ１５ｂに取り付ける工程、制御部１３をテンプル１１に取り付ける工程、バッテリー１４をテンプル１１に取り付ける工程、導線１８をフロントフレーム１５に固定する工程はその順序が入れ替わってもよい。
また、眼鏡形フレーム１は支持パッド１２を支点として回転しようとするが、制御部１３及びバッテリー１４の一方又は両方を支持パッド１２よりも後方に配置することで、支持パッド１２を中心とする前後の重量バランスを図ることができ、支持パッド１２を支点とする眼鏡形フレーム１の回転を抑制することができる。
【００２０】
上記手順で照明ユニットを取り付けた眼鏡形フレーム１は、通常の眼鏡フレームと同様に装着者の顔に装着することができる。支持パッド１２は装着者の側頭部に当接するが、頬骨弓に当接するようにするのが好ましい。このようにすることで、眼鏡形フレーム１のずり下がりを抑制することができる。また、本考案の医療用機器では、装着者の両側頭部に左右から当接する一対の支持パッド１２によって、眼鏡形フレーム１の左右方向のずれを抑制することができる。
眼鏡形フレーム１の装着後は、角度調整ハンドル１７ｄを操作して発光体１７ａの光軸が適正方向を向くように調整する。
【００２１】
本考案の別の実施形態を図４及び図５に示す。
図４及び図５において先の実施形態と同一部位、同一部材には同一の符号を付して詳細な説明する。
図４に示すように、照明部１７などの機能部は、フロントフレーム１５の中央以外の場所に取り付けることができる。図４の例では、機能部として手術の様子などを撮影，記録できるカメラ１９を、その側面に形成された係合爪１９ａによって、フロントフレーム１５と左側のテンプル１１とを連結する智１５ａに取り付けている。
カメラ１９によって撮影された画像や映像を記録する記憶部は、制御部１３に内蔵させてもよいし、図４中仮想線で示すように別体の記憶部１９ｂを左側のテンプル１１に着脱自在に取り付けるようにしてもよい。
【００２２】
本考案において眼鏡形フレームは、図１及び図４に示すようなものには限られない。
図５の実施形態において眼鏡形フレーム２は、医師等の装着者の顔面に患者の体液等が飛散しないように防護する透明なシールド２６を取り付けるためのもので、弾性を有するフロントフレーム２５の左右両側に、弾性を有するテンプル２１を一体に設けたものである。シールド２６は、テンプル２１に形成された突起状の係合部２１ａに係合させる係合孔２６ａを有している。また、この実施形態の眼鏡フレーム２では、テンプル２１の一部を内側に湾曲させて装着者の側頭部（頬骨弓）に当接する当接部２２を形成している。そして、眼鏡形フレーム２の一方のテンプル２１に制御部１３を取り付け、他方のテンプル２１にバッテリー１４を取り付けている。制御部１３及びバッテリー１４と照明部１７とは導線１８によって電気的に接続される。
この実施形態では、機能部として照明部１７をフロントフレーム１５の中央に着脱自在に取り付けているが、照明部１７の代わりに他の機能部、例えばカメラ１９（図４参照）をフロントフレーム１５の中央や左又は右のテンプル２１に取り付けるようにしてもよい。
【００２３】
この考案の医療用機器によれば、充電形の小形バッテリーの採用により医療用機器を小形かつ軽量にすることができ、コードレス化により取り回しが容易になる。
また、支持パッド１２や当接部２２により眼鏡形フレーム１，２を装着者の顔面に装着するようにしているので、鼻パッドが不要となり、検査や診療、手術の際に鼻パッドの圧迫痕が装着者の顔に残ることもない。さらに、側頭部の両側に当接する支持パッド１２や当接部２２により、発光体の光軸の偏心を効果的に抑制することができるほか、頬骨弓に支持パッド１２や当接部２２を当接させることで、眼鏡形フレーム１，２のずり下がりを抑制することができる。また、非接触形のスイッチを採用することで、装着者が直接接触することなく医療用機器を操作することができるので、院内感染等を予防することができる。
【００２４】
本考案の好適な実施形態について説明したが、本考案は上記の説明に限定されない。
例えば、機能部の一例として検査、診療又は手術部位を照明する照明部１７又は撮影する撮影部（カメラ１９）を例に挙げたが、本考案はこれら以外の機能部についても適用が可能である。
また、当接部材としてはシリコン等の軟質の樹脂で形成された支持パッド１２を例に挙げて説明したが、ばね性を有するアーム１２ａとの協働で眼鏡形フレーム１のずれを抑制することができるものであれば、その材質は樹脂に限らず、かつ、その形態もパッド状のものには限られない。
さらに、バッテリー１４は充電式のものを例に挙げて説明したが、ボタン電池等の交換可能な電池を内蔵したバッテリーであってもよい。またさらにバッテリー１４は、制御部１３に内蔵されるなど、制御部１３と一体であってもよい。
【００２５】
また、上記の説明では、テンプル１１の前方に制御部１３を配置し、その後方にバッテリー１４を配置しているが、制御部１３とバッテリー１４の配置はその前後が逆であってもよい。さらに図示の例では、制御部１３及びバッテリー１４は右側のテンプル１１に取り付けているが、これは右利きの装着者がスイッチ１３ｄを操作しやすいようにするためであり、左利きの装着者が使用する場合は、制御部１３及びバッテリー１４を左側のテンプル１１に取り付けるとよい。
【図面の簡単な説明】
【００２６】
【図１】本考案にかかる医療用機器の一実施形態を示すもので、眼鏡形フレームに照明ユニットを取り付ける前の状態を示す斜視図である。
【図２】眼鏡形フレームに照明ユニットを取り付けた後の状態を示す斜視図である。
【図３】制御部及びバッテリーの内部構成の一例を示す図である。
【図４】本考案の別の実施形態にかかる医療用器具を示す斜視図である。
【図５】本考案のさらに別の実施形態にかかる医療用器具を示す斜視図である。
【符号の説明】
【００２７】
１          眼鏡形フレーム
１１        テンプル
１２        支持パッド（当接部材）
１２ａ      アーム
１３        制御部
１３ａ      係合爪
１３ｂ      コネクタ
１３ｃ      回路基板
１３ｄ      スイッチ
１４        バッテリー
１４ａ      係合爪
１４ｂ      コネクタ
１５，２５  フロントフレーム
１５ａ      智
１５ｂ      ブリッジ
１６        レンズ
１７        照明部（機能部）
１７ａ      発光体
１７ｂ      支持部
１７ｃ      取付部
１７ｄ      角度調整ハンドル
１７ｅ      係合溝
１７ｆ      ボルト
１８        導線
１９        カメラ（機能部）
１９ａ      係合爪
２          眼鏡形フレーム
２１        テンプル
２１ａ      係合部
２２        当接部（当接部材）
２５        フロントフレーム
２６        シールド
２６ａ      係合孔
【図１】
0003214365.tif 000003
【図２】
0003214365.tif 000004
【図３】
0003214365.tif 000005
【図４】
0003214365.tif 000006
【図５】
0003214365.tif 000007